(57)【要約】      （修正有）【課題】取付施工場所に対する取付工程の自由度が高く、しかも配管時の作業性が高いサドルバンドを提供する。【解決手段】取付孔２２を用いて取付面に取り付けられる基台部２と、配管Ｐを抱持するバンド部３１を有する抱持部３と、を有して成り、基台部と抱持部とが着脱可能な別体構成であるサドルバンド１であって、基台部には、上面部に開口溝を有すると共に上面部の縁辺から側面部に連通した開口端部を有する蟻溝２１が形成され、抱持部の下面部には、基台部の側面方向から蟻溝に係合すると共に該蟻溝内において水平方向に回動可能な円錐台形状又は砧形状を有する係合部３２が形成され、更に抱持部は、バンド部の内周面の下方位置から抱持部の下面部の係合部下面まで貫く切れ目部又は間隙部が形成されており、バンド部の弾性変形を利用して切れ目部又は間隙部を拡開開放することによって生じる開放部から配管をバンド部内へ挿通して抱持させることができる。【選択図】図１
2020003003.tif 000002
【特許請求の範囲】
【請求項１】
取付孔を用いて取付面に取り付けられる基台部と、配管を抱持するバンド部を有する抱持部と、を有して成り、前記基台部と抱持部とが着脱可能な別体構成であるサドルバンドであって、
前記基台部には、上面部に開口溝を有すると共に上面部の縁辺から側面部に連通した開口端部を有する蟻溝が形成され、
前記抱持部の下面部には、前記基台部の側面方向から前記蟻溝に係合すると共に該蟻溝内において水平方向に回動可能な円錐台形状又は砧形状を有する係合部が形成され、
更に前記抱持部は、バンド部の内周面の下方位置から抱持部の下面部の係合部下面まで貫く切れ目部又は間隙部が形成されており、該バンド部の弾性変形を利用して切れ目部又は間隙部を拡開開放することによって生じる開放部から配管をバンド部内へ挿通して抱持させることができる構成であること、
を特徴とするサドルバンド。
【請求項２】
前記蟻溝が二つ形成されており、二つの蟻溝の係合方向が基台部を上面視した際に交差する構成であることを特徴とする請求項１に記載のサドルバンド。
【請求項３】
前記蟻溝に係合した係合部を任意の位置に固定保持する固定保持部を有することを特徴とする請求項１又は２に記載のサドルバンド。
【請求項４】
前記固定保持部が、蟻溝の内周面及び／又は係合部の外周面に設けられた構成であることを特徴とする請求項３に記載のサドルバンド。
【請求項５】
前記固定保持部が、凸部若しくは凹部又は凸部と凹部との組合せから成る構成であることを特徴とする請求項３又は４に記載のサドルバンド。
【請求項６】
前記蟻溝の開口端部が、該蟻溝の一方の端部にのみ設けられた構成であることを特徴とする請求項１〜５のいずれかに記載のサドルバンド。
【請求項７】
前記蟻溝の開口端部が、該蟻溝の両方の端部に設けられた構成であることを特徴とする請求項１〜５のいずれかに記載のサドルバンド。
【発明の詳細な説明】
【技術分野】
【０００１】
本発明はサドルバンドに関し、詳しくは天井面・壁面・床面の如き取付面に沿って配管を支持固定するサドルバンドに関する。
【背景技術】
【０００２】
建物等の設備工事において、ガス管・給水管・給湯管等の配管類を、天井面・壁面・床面等の取付面に沿って支持固定する配管支持具としてサドルバンドが知られている。サドルバンドは、配管軸直交方向における両側で固定する両押さえ式タイプを両サドルと呼び、片側で固定する片押さえ式タイプを片サドルと呼んでいる。
【０００３】
片サドルは、一般的に逆さＵ字状の抱持部の下方開放部から該抱持部内に配管を抱持させた後、抱持部の一端から連設されて取付面に沿って延伸する固定端部をボルト等の固定部材によって取付面に固定することにより配管を支持固定する構成である。
【０００４】
片サドルは極めて簡易な構成によって取付面に配管を容易に支持固定することができるが、支持固定状態では抱持部下方の開放部が取付面によって閉塞されるため、取付面に支持固定した状態では配管の着脱を行うことが難しい。配管の着脱を行うには、片サドルを取付面から取り外して抱持部下方を開放させた状態にしなければならない。
【０００５】
そこで、抱持部のバンド部を略Ｃ字状構成とし、この略Ｃ字状バンド部の弾性変形を利用してＣ字側方の開放部を拡開することによって取付面に片サドルを取付けた状態のまま配管の着脱を可能とする配管時の作業性が高い技術が提案されている（特許文献１参照）。
【先行技術文献】
【特許文献】
【０００６】
【特許文献１】特開２０１７−０８９７５０号
【発明の概要】
【発明が解決しようとする課題】
【０００７】
特許文献１の技術では、配管を抱持する保持部とは別に該保持部に連設する取付部に設けられた取付孔が配管軸中心の下方に位置しているために取付面への取付方向に制限がある。従って、配管を支持固定させる施工場所が既に他の配管類が近接して既設されていたり、ボルト固定するための取付孔の位置確保が困難である狭小箇所であったり等、施工環境によってサドルバンドの取付けに制約が生じることがあるという問題点を有している。
【０００８】
そこで本発明の課題は、取付施工場所に対する取付工程の自由度が高く、しかも配管時の作業性が高いサドルバンドを提供することにある。
本発明のその他の課題は、以下の説明によって明らかである。
【課題を解決するための手段】
【０００９】
上記課題を解決する本発明は下記構成を有する。
【００１０】
１．取付孔を用いて取付面に取り付けられる基台部と、配管を抱持するバンド部を有する抱持部と、を有して成り、前記基台部と抱持部とが着脱可能な別体構成であるサドルバンドであって、
前記基台部には、上面部に開口溝を有すると共に上面部の縁辺から側面部に連通した開口端部を有する蟻溝が形成され、
前記抱持部の下面部には、前記基台部の側面方向から前記蟻溝に係合すると共に該蟻溝内において水平方向に回動可能な円錐台形状又は砧形状を有する係合部が形成され、
更に前記抱持部は、バンド部の内周面の下方位置から抱持部の下面部の係合部下面まで貫く切れ目部又は間隙部が形成されており、該バンド部の弾性変形を利用して切れ目部又は間隙部を拡開開放することによって生じる開放部から配管をバンド部内へ挿通して抱持させることができる構成であること、
を特徴とするサドルバンド。
【００１１】
２．前記蟻溝が二つ形成されており、二つの蟻溝の係合方向が基台部を上面視した際に交差する構成であることを特徴とする上記１に記載のサドルバンド。
【００１２】
３．前記蟻溝に係合した蟻ほぞを任意の位置に固定保持する固定保持部を有することを特徴とする上記１又は２に記載のサドルバンド。
【００１３】
４．前記固定保持部が、蟻溝の内周面及び／又は係合部の外周面に設けられた構成であることを特徴とする上記３に記載のサドルバンド。
【００１４】
５．前記固定保持部が、凸部若しくは凹部又は凸部と凹部との組合せから成る構成であることを特徴とする上記３又は４に記載のサドルバンド。
【００１５】
６．前記蟻溝の開口端部が、該蟻溝の一方の端部にのみ設けられた構成であることを特徴とする上記１〜５のいずれかに記載のサドルバンド。
【００１６】
７．前記蟻溝の開口端部が、該蟻溝の両方の端部に設けられた構成であることを特徴とする上記１〜５のいずれかに記載のサドルバンド。
【発明の効果】
【００１７】
請求項１に示す発明によれば、取付施工場所に対する取付工程の自由度が高く、しかも配管時の作業性が高いサドルバンドを提供することができる。
【００１８】
特に、取付面に取付けられる基台部と配管を抱持する抱持部とが別体構成であるため、基台部のみを取付面に取付け、抱持部に予め配管を抱持させてから抱持した配管と共に抱持部を基台部に取付けたり、抱持部に配管を抱持させた状態で該抱持部を基台部に取付けてから該基台部を取付面に取付けたり、取付作業工程の汎用性が高いので、取付施工場所の状況に応じて種々の取付工程を採ることができる。
特にまた、抱持部を基台部に取付けることによって、配管を抱持部に挿通させる際の開放部となるバンド部の切れ目部又は間隙部が閉塞されるので、抱持部からの配管の脱落がなく、確実に抱持することができる。
更に、基台部の蟻溝に係合する抱持部の係合部が円錐台形状又は砧形状であることから蟻溝に係合した状態で水平方向に回動可能であるため、基台部に取付けられた抱持部は取り付けられた状態で水平方向の所望の位置に回動させることができる。従って、取付施工場所の状況に応じて３６０度の取付方向に対応することができる。
【００１９】
請求項２に示す発明によれば、抱持部の係合部を係合させる蟻溝が基体部に二つ設けられているので、基台部の取付面への取付向きと合わせて抱持部の抱持方向を変えることができるので、取付施工場所の状況に応じて種々の取付方向に対応することができる。
【００２０】
請求項３又は４に示す発明によれば、基台部に抱持部を容易に位置固定することができる。
【００２１】
請求項５に示す発明によれば、蟻溝や係合部部分に凸部や凹部を設けるだけで基台部に抱持部を極めて容易に位置固定することができる。
【００２２】
請求項６に示す発明によれば、蟻溝に係合した係合部の固定位置を該蟻溝の最奥部に設定することにより固定位置を容易に決めることができる。
【００２３】
請求項７に示す発明によれば、基台部に対する抱持部の係合向きに加えて、基台部に対して対向する位置の両方向から抱持部を取付けることができるので、取付施工場所の状況に応じて種々の取付方向や係合向きに対応することができる。
【図面の簡単な説明】
【００２４】
【図１】本発明に係るサドルバンドの実施例を示す分散斜視図
【図２】図１に示すサドルバンドの抱持部を示す４面図（正面図、平面図、左側面図、底面図）
【図３】図１に示すサドルバンドの基台部を示す５面図（正面図、平面図、左側面図、底面図、Ａ−Ａ線断面図）
【図４】基台部の他の実施例を示す平面図
【図５】基台部の更に他の実施例を示す平面図
【図６】基台部の更に他の実施例を示す平面図
【図７】固定保持部の一例を説明する要部断面図
【図８】固定保持部の他の例を説明する要部断面図
【図９】蟻溝と係合部の他の例を示す要部正面図
【発明を実施するための形態】
【００２５】
次に、添付の図面に従って本発明を詳細に説明する。
【００２６】
本発明に係るサドルバンドは、建物等の設備工事においてガス管・給水管・給湯管等の配管類を天井面・壁面・床面等の取付面に沿って支持固定するものであり、配管軸直交方向における両側で固定する両押さえ式タイプ（両サドル）のものである。
【００２７】
固定支持する種々の配管としては、従来一般的であった鋼管に代わって近年多く用いられるようになった合成樹脂管（ポリエチレン管、架橋ポリエチレン管、ポリブデン管、塩化ビニル管、プロピレン管、ＡＢＳ管等）の固定支持に本発明は特に有効である。尚、本発明は合成樹脂管の固定支持に特に有効であるが、従来の鋼管の固定支持も可能であり、固定支持する配管として鋼管その他の管類を排除するものではない。
【００２８】
本発明のサドルバンドの具体的構成としては、図１〜図３に示す実施例によれば、
取付孔２２を用いて取付面に取り付けられる基台部２と、配管Ｐを抱持するバンド部３１を有する抱持部３と、を有して成り、前記基台部２と抱持部３とが着脱可能な別体構成であるサドルバンド１であって、
前記基台部２には、上面部に開口溝を有すると共に上面部の縁辺から側面部に連通した開口端部を有する蟻溝２１が形成され、
前記抱持部３の下面部には、前記基台部２の側面方向から前記蟻溝２１に係合すると共に該蟻溝２１内において水平方向に回動可能な円錐台形状を有する係合部３２が形成され、
更に前記抱持部３は、バンド部３１の内周面の下方位置から抱持部３の下面部の係合部３２下面まで貫く切れ目部又は間隙部５が形成されており、該バンド部３１の弾性変形を利用して切れ目部又は間隙部５を拡開開放することによって生じる開放部から配管Ｐをバンド部３１内へ挿通して抱持させることができる構成であること、
を主構成とするものである。
【００２９】
以下、本発明の構成について更に詳説する。
【００３０】
本発明のサドルバンド１は、この種のサドルバンドに用いられる可撓性を有する合成樹脂として公知公用のものを特別の制限なく用いることができ、好ましくはポリプロピレンやＡＢＳ樹脂である。
【００３１】
取付面に基台部２を取付固定するためのボルト等の固定部材を挿通する取付孔２２は、基台部２の側方に連設された固定端部２３に形成されている。固定端部２３は、本実施例では基台部２の配管軸方向両側に連設されているが、両側に限定されず、いずれか一方の片側でもよいし、或いは配管軸直交方向の片側又は両側に連設されていてもよい。
【００３２】
抱持部３のバンド部３１は、内周面の下方位置から抱持部２の下面部の係合部３２下面まで貫く切れ目又は間隙部５が拡開することにより配管Ｐを下方から圧入することにより抱持支持させることができる。バンド部３１の切れ目又は間隙部５の間隔は、弾性変形によって該切れ目又は間隙部５を拡開した際に配管Ｐを圧入可能な間隔であればよい。配管Ｐを抱持支持した後は、この切れ目又は間隙部５による開放部は、抱持部３を基台部２に取付けることによって閉塞されるので、配管Ｐにウォーターハンマー現象等による振動が発生した場合であっても開放部から脱落してしまうことはない。
【００３３】
基台部２と抱持部３との着脱可能な取付構成としては、上記したように基台部２に設けられた蟻溝２１に抱持部３に設けられた係合部３２が係合することにより取付けられる。本発明における蟻溝２１と係合部３２との係合は圧入状態で密に係合することにより結合させる構成としてもよいし、手指等によって押し込むことができる摺動状態で係合する構成としてもよい。摺動状態で係合する構成の場合、ウォーターハンマー現象等による振動によって係合が外れたり位置ズレが生じることがないように接着や粘着等の止着手段により固定したり、或いは結束バンド等による緊締によって固定することも好ましい。尚、基台部２と抱持部３とを分離するには、特に圧入によって密に係合している場合にはマイナスドライバー等の治具を用いることが好ましく、この場合、基台部２と抱持部３との境界部分のいずれか一方又は両方に治具先端部を差し込める凹部が形成されることが好ましい。
【００３４】
上記構成の基台部２と抱持部３とを有して成る本発明のサドルバンド１は、取付面に取付けられる基台部２と配管Ｐを抱持する抱持部３とが別体構成であるため、抱持部３のバンド部３１に予め配管Ｐを抱持させた後に該抱持部を基台部２に取付けてから該基台部２を取付面に取付けたり、或いは基台部２のみを取付面に取付け、抱持部３に予め配管Ｐを抱持させてから抱持した配管Ｐと共に抱持部３を基台部２に取付けたり、取付作業工程の汎用性が高いので、取付施工場所の状況に応じて種々の取付工程を採ることができる。
また、基台部２に抱持部３を取付ける際に、取付施工場所の状況に応じて図１に矢符Ｘ方向からの取付けに限らず、例えば、矢符Ｘ側が壁面であったり或いは設備機器が既設されている等のように矢符Ｘ側からの取付けが困難乃至は不可能な場合であっても、矢符Ｘ方向とは逆方向から取付けることができる。
【００３５】
以上、本発明に係るサドルバンドの実施例について説明したが、本発明は上記構成に限定されず、本発明の範囲内において種々の態様を採ることができる。
【００３６】
例えば、図４に示す態様のように、蟻溝２１が二つ形成され、二つの蟻溝２１・２１の係合方向が基台部２を上面視した際に交差する構成とすることもできる。かかる構成によれば、抱持部３の係合部３２を係合させる蟻溝２１・２１が基台部２に二つ設けられているので、基台部２の取付面への取付向きと合わせて抱持部３の抱持方向を変えることができるので、取付施工場所の状況に応じて種々の取付方向に対応することができる。
【００３７】
また、図１及び図３に示す実施例の蟻溝２１は、開口端部が該蟻溝２１の両方の端部に設けられた構成、即ち、蟻溝２１が基台部２の全幅に亘って形成された構成であるが、本発明はかかる構成に限らず、図５に示す態様のように、蟻溝２１の開口端部が、該蟻溝２１の一方の端部にのみ設けられた構成とすることもできる。かかる構成によれば、基台部２に対する抱持部３の取付方向が一方からのみに限定されるが、蟻溝２１に係合した係合部３２の固定位置を該蟻溝２１の最奥部に設定することにより固定位置を容易に決めることができる。
【００３８】
また、図６に示す態様のように、蟻溝２１が二つ形成されており、二つの蟻溝２１・２１の係合方向が基台部２を上面視した際に交差する構成であって、且つ、各々の蟻溝２１・２１の開口端部が、各々の蟻溝２１・２１の一方の端部にのみ設けられた構成とすることもできる。かかる構成によれば、基台部２の取付面への取付向きと合わせて抱持部３の抱持方向を変えることができるので、取付施工場所の状況に応じて種々の取付方向に対応することができると共に、基台部２に対する抱持部３の取付方向が一方からのみに限定されるが、蟻溝２１に係合した係合部３２の固定位置を該蟻溝２１の最奥部に設定することにより固定位置を容易に決めることができる。
【００３９】
更に、図７に示す態様のように、蟻溝２１に係合した係合部３２を任意の位置に固定保持する固定保持部４が設けられた構成とすることもできる。該固定保持部４は、蟻溝２１の内周面の一部にスロープ状の段差となる凸部を設け、この段差となる凸部を係合部３２が乗り越えることにより後戻りを防止する構成である。かかる構成によれば、蟻溝２１と係合部３２との係合を圧入状態で密に係合することにより結合させる構成とは異なり、手指等で摺動させて係合させることによっても基台部２に抱持部３を位置固定することができるので、作業性が良好となる。図７に示す態様では、固定保持部４を２箇所に設けることによって２つの固定保持部４・４間に係合部３２を位置固定することができる。尚、固定保持部４としては、段差となる凸部に代えて蟻溝２１に凹部を形成し、この凹部に係合部３２の下端部分が落とし込まれることにより固定保持される構成とすることもできる。
【００４０】
尚、固定保持部４は図７に示す蟻溝２１に設けた構成に限らず、係合部３２に設けることもできる。図８に示す態様では、固定部４を凹部と該凹部に係合する凸部との組合せから成る構成としており、蟻溝２１に凹部を設け、係合部３２に凸部を設けた構成としている。尚、蟻溝２１に凸部、係合部３２に凹部を設けてもよい。
【００４１】
固定保持部４は、基台部２に取付けられた抱持部３の取付固定位置を保持できる構成であればよく、その形成位置は、基台部２と抱持部３とが接触する位置であることが好ましく、より好ましくは蟻溝２１の内周面及び／又は係合部３２の外周面に設けられることである。
【００４２】
また、図１〜図３に示す実施例の蟻溝２１の断面形状は鳩尾形（台形）であり、係合部３２は前記鳩尾形（台形）に係合可能で且つ水平方向へ回動可能な断面形状を有する円錐台形状であるが、図９に示すように蟻溝２１の断面形状が凸形であり、係合部３２は前記凸形に係合可能で且つ水平方向へ回動可能な断面形状を有する砧形状であってもよい。本発明で規定する「砧形状」とは、アイロンの無い時代に洗った布を叩く槌の一種の道具であり、その形状は持ち手と成る小径の円柱と叩き部と成る台形の円柱とを軸方向に接続した形状を成すものである。
【符号の説明】
【００４３】
１  サドルバンド
２  基台部
２１  蟻溝
２２  取付孔
２３  固定端部
３  抱持部
３１  バンド部
３２  係合部
４  固定保持部
５  切れ目部又は間隙部
Ｐ  配管
【図１】
2020003003.tif 000003
【図２】
2020003003.tif 000004
【図３】
2020003003.tif 000005
【図４】
2020003003.tif 000006
【図５】
2020003003.tif 000007
【図６】
2020003003.tif 000008
【図７】
2020003003.tif 000009
【図８】
2020003003.tif 000010
【図９】
2020003003.tif 000011